(57)【要約】      （修正有）【課題】支持架台の形態の変更を抑えつつ、多様な大きさの寝台を提供する。【解決手段】架台本体と、前記架台本体よりも上方に位置する回動軸２２回りに回動する第１可動部材３３と、複数のパネル部材１６が連結された被連結部材と、長さが異なる様々な形態の前記パネル部材を共通して前記被連結部材に連結可能な連結手段と、を有する支持架台１２を備えた寝台装置１０。第１可動部材は、被連結部材が水平状態のときに、被連結部材が前記回動軸の下方になるように、被連結部材と連結され、支持架台は、互いに長さが同等とされた複数のパネル部材を支持し、パネル部材を同パネル部材の長手方向に直交する断面で見た場合の寸法形状が、パネル部材の前記長手方向の全長にわたって同等である。【選択図】図１
2020114413.tif 000002
【特許請求の範囲】
【請求項１】
架台本体と、前記架台本体よりも上方に位置する回動軸回りに回動する第１可動部材と、複数のパネル部材が連結された被連結部材と、長さが異なる様々な形態の前記パネル部材を共通して前記被連結部材に連結可能な連結手段と、を有する支持架台を備え；
前記第１可動部材は、前記被連結部材が水平状態のときに、前記被連結部材が前記回動軸の下方になるように、前記被連結部材と連結され、
前記支持架台が、互いに長さが同等とされた前記複数のパネル部材を支持し；
前記パネル部材を同パネル部材の長手方向に直交する断面で見た場合の寸法形状が、前記パネル部材の前記長手方向の全長にわたって同等である、寝台装置。
【請求項２】
前記第１可動部材が前記回動軸回りに回動するとき、前記被連結部材は水平面に対して傾斜し、
前記パネル部材の下面に、前記パネル部材の長手方向に沿って形成された凹溝部が設けられ；
前記パネル部材および前記被連結部材の間に、前記パネル部材を前記被連結部材に連結可能な連結手段が設けられ；
前記連結手段は、前記凹溝部内に配置され前記凹溝部に係止されたナットと、前記被連結部材を通して前記凹溝部に差し込まれ、前記ナットに螺着されたボルトと、を備えた、
請求項１に記載の寝台装置。
【請求項３】
前記パネル部材は、中空に形成され下面に前記凹溝部が設けられたパネル本体と、前記パネル本体の上面と下面とを連結する補強リブと、を備え；
前記補強リブは、前記パネル本体の下面のうちの前記凹溝部が設けられた部分と、前記パネル本体の上面と、を連結する、
請求項１または２に記載の寝台装置。
【請求項４】
前記パネル部材の、同パネル部材の長手方向の端部に、カバー部材が設けられた、
請求項１から３のいずれか１項に記載の寝台装置。
【請求項５】
前記複数のパネル部材が、左右方向に延びる前記回動軸回りに回動自在に支持される背ボトムを形成している、
請求項１から４のいずれか１項に記載の寝台装置。
【発明の詳細な説明】
【技術分野】
【０００１】
本発明は、寝台装置に関する。
【背景技術】
【０００２】
従来から、例えば下記特許文献１に示す寝台装置が知られている。寝台装置は、長尺でかつ複数並設されたパネル部材を有する寝台と、パネル部材が連結された被連結部材を有し、寝台を支持する支持架台と、を備えている。
【先行技術文献】
【特許文献】
【０００３】
【特許文献１】特開２００６−３４０９６２号公報
【発明の概要】
【発明が解決しようとする課題】
【０００４】
ところで近年、寝台の大きさが異なる多様な寝台装置において、支持架台の共有化が望まれている。このとき、支持架台は、完全に同一の形態か、変更が最小限に抑えられた形態で共有化されることが好ましい。
【０００５】
本発明は、前述した事情に鑑みてなされたものであって、支持架台の形態の変更を抑えつつ、多様な大きさの寝台を採用することを目的とする。
【課題を解決するための手段】
【０００６】
前記課題を解決するために、本発明は以下の手段を提案している。
（１）本発明に係る寝台装置は、長尺でかつ複数並設されたパネル部材を有する寝台と；前記パネル部材が連結された被連結部材を有し、前記寝台を支持する支持架台と；を備え、前記パネル部材および前記被連結部材の間に、前記パネル部材を前記被連結部材に連結可能な連結手段が設けられていることを特徴とする。
【０００７】
（２）上記（１）に記載の寝台装置では、前記連結手段が、長さが異なる様々な形態の前記パネル部材を共通して前記被連結部材に連結可能である構成を採用してもよい。
【０００８】
これらの発明では、パネル部材および被連結部材の間に連結手段が設けられているので、長さが異なるパネル部材であっても、共通の被連結部材を有する支持架台に連結手段を介して取り付けることができる。したがって、支持架台の形態の変更を抑えつつ、多様な大きさの寝台を採用することができる。
【０００９】
（３）上記（１）または（２）に記載の寝台装置では、前記パネル部材において前記被連結部材に面する取付け面に、前記パネル部材の長手方向に沿って形成された凹溝部が設けられ；前記連結手段の少なくとも一部が、前記凹溝部に係止された状態で前記凹溝部内に配置されている構成を採用してもよい。
【００１０】
この場合、凹溝部が、パネル部材の長手方向に沿って形成されているので、パネル部材の長さによらず、パネル部材における前記長手方向に沿う所望の位置に、連結手段を配置することができる。
【００１１】
（４）上記（１）から（３）のいずれか１つに記載の寝台装置では、前記連結手段が、螺着によって前記パネル部材を前記被連結部材に連結する構成を採用してもよい。
【００１２】
この場合、連結手段が、螺着によってパネル部材を被連結部材に連結するので、パネル部材を被連結部材に容易に連結することができる。
【００１３】
（５）上記（１）から（４）のいずれか１つに記載の寝台装置では、前記パネル部材を同パネル部材の長手方向に直交する断面で見た場合の寸法形状が、前記パネル部材の前記長手方向の全長にわたって同等である構成を採用してもよい。
【００１４】
（６）本発明に係る他の寝台装置は、長尺でかつ複数並設されたパネル部材を有する寝台と；前記パネル部材が連結された被連結部材を有し、前記寝台を支持する支持架台と；を備え、前記パネル部材を同パネル部材の長手方向に直交する断面で見た場合の寸法形状が、前記パネル部材の前記長手方向の全長にわたって同等であることを特徴とする。
【００１５】
これらの発明では、パネル部材の前述の寸法形状が、前記長手方向の全長にわたって同等なので、長さが異なるいかなるパネル部材であっても、パネル部材のうち、被連結部材に連結される部分の形態を同等にすることができる。したがって、長さが異なるパネル部材であっても、共通の被連結部材を有する支持架台に取り付けることが可能になり、支持架台の形態の変更を抑えつつ、多様な大きさの寝台を採用することができる。
また、パネル部材の前述の寸法形状が、前記長手方向の全長にわたって同等なので、成形材料を前記長手方向に沿って押し出す押出成形によって、パネル部材を簡便に形成することができる。
【００１６】
（７）上記（１）から（６）のいずれか１つに記載の寝台装置では、前記パネル部材の、同パネル部材の長手方向の端部に、カバー部材が設けられている構成を採用してもよい。
【００１７】
この場合、パネル部材における前記長手方向の端部に、カバー部材が設けられているので、例えば、パネル部材が前記長手方向の外側に開口している場合等であっても、パネル部材の端部をカバー部材により前記長手方向の外側から覆うことができる。
【００１８】
（８）上記（１）から（７）のいずれか１つに記載の寝台装置では、複数の前記パネル部材が、左右方向に延びる回動軸回りに回動自在に支持される背ボトムおよび脚ボトムのうちの少なくとも一方を形成している構成を採用してもよい。
【００１９】
この場合、複数のパネル部材が、背ボトムおよび脚ボトムの少なくとも一方を形成しているので、背上げ機能や脚上げ機能を有するような寝台装置においても、支持架台の形態の変更を抑えつつ、多様な大きさの寝台を採用することができる。
【発明の効果】
【００２０】
本発明によれば、支持架台の形態の変更を抑えつつ、多様な大きさの寝台を採用することができる。
【図面の簡単な説明】
【００２１】
【図１】本発明の一実施形態に係る寝台装置を左右方向から見た側面図である。
【図２】図１に示す寝台装置の上面図である。
【図３】図１に示す寝台装置の下面図である。
【図４】図１に示す寝台装置を脚側から見た側面図である。
【図５】図１に示す寝台装置を構成する背ボトムおよび脚ボトムを回動させた状態を示す斜視図である。
【図６】図１に示す寝台装置を構成するパネル部材の斜視図である。
【図７】図６に示すパネル部材を含む要部についての左右方向に直交する断面図である。
【図８】（ａ）は、寝台の幅が狭い寝台装置であり、（ｂ）は、寝台の幅が広い寝台装置である。
【図９】本発明の変形例に係る寝台装置を構成するパネル部材を含む要部についての左右方向に直交する断面図である。
【発明を実施するための形態】
【００２２】
本発明の一実施形態に係る寝台装置１０を、図面に基づいて以下に説明する。寝台装置１０は、例えば、医療環境下（介護環境下を含む）において利用することができる。図１から図９において、矢印Ｈは人（使用者）が寝る際に頭側となる向きを示し、また矢印Ｆは人が寝る際に脚側となる向きを示している。以下の説明においては、矢印Ｈ、Ｆの方向である前後方向に対して直交する水平方向を左右方向と言う場合が有る。
【００２３】
図１から図５に示すように、寝台装置１０は、寝台１１と、支持架台１２と、ボード１３と、駆動機構１４と、を備えている。なお図５では、駆動機構１４の図示を省略している。
寝台１１は、長尺でかつ複数並設されることで寝台面１５を形成するパネル部材１６を備えている。各パネル部材１６は、互いに同等の形状でかつ同等の大きさに形成されている。各パネル部材１６は、左右方向（パネル部材が延びるパネル長手方向）に延びる長尺な板状に形成され、各パネル部材１６の表裏面は、上下方向を向いている。パネル部材１６は、前後方向に複数並設されている。各パネル部材１６は、駆動機構１４によって寝台１１が背上げまたは膝上げ等の変形、例えば起伏を伴う回動させられる前の標準状態において、上下方向および左右方向のいずれの方向においても同等の位置に配置され、同一平面上に配置されている。
【００２４】
各パネル部材１６の左右方向の両端部には、左右一対のカバー部材１７が設けられている。カバー部材１７は、各パネル部材１６に左右方向の外側から装着されている。カバー部材１７は、左右方向の外側に向けて突となる半楕円形状に形成されている。
複数のパネル部材１６および複数のカバー部材１７の各上面は、前述の寝台面１５を形成している。寝台面１５は、前述の標準状態において、上下方向に直交する直交面とされている。寝台面１５は、その平面視において左右方向よりも前後方向に長い矩形状に形成されている。寝台面１５の長手方向は前後方向とされ、寝台面１５の短手方向は左右方向となっている。寝台面１５上には、マットレスＭが配置される。
【００２５】
複数のパネル部材１６は、前後方向に複数のグループに区画されている。複数のパネル部材１６は、頭側Ｈから脚側Ｆに向けて、背ボトム１８と、脚ボトム１９と、の順にグループ分けされている。さらに、脚ボトム１９は、頭側Ｈから脚側Ｆに向けて、膝ボトム２０と、足ボトム２１と、の順にグループ分けされている。背ボトム１８は、寝台面１５における背に対応し、脚ボトム１９は、寝台面１５における腰から足に対応する。膝ボトム２０は、寝台面１５における腰から膝に対応し、足ボトム２１は、寝台面１５における膝から足に対応する。背ボトム１８の上面および脚ボトム１９（膝ボトム２０および脚ボトム１９）の上面はそれぞれ、寝台面１５の一部を形成している。
【００２６】
支持架台１２は、寝台１１を支持する。本実施形態では、支持架台１２が、背ボトム１８および脚ボトム１９（可動ボトム）を回動軸２２、２３回りに回動自在に支持していて、寝台装置１０は、いわゆるギャッチベットとなっている。支持架台１２は、架台本体２４と、第１回動機構２５と、第２回動機構２６と、を備えている。
架台本体２４は、寝台１１、および寝台１１上の使用者それぞれの荷重を受け止める。架台本体２４は、平面視において矩形状をなすメインフレーム２７と、メインフレーム２７から下方に向けて延びる脚部材２８と、を備えている。
【００２７】
メインフレーム２７（架台本体２４）は、左右方向に寝台１１（寝台面１５）よりも小さく、メインフレーム２７の幅（左右方向の大きさ）は、寝台１１の幅よりも狭い。メインフレーム２７の左右方向の中央部は、寝台１１の左右方向の中央部と左右方向に同等の位置に配置されている。寝台１１は、メインフレーム２７から左右方向の両側に突出している。メインフレーム２７は、寝台１１の左右方向の両端部を下方から支持可能とされている。
【００２８】
メインフレーム２７は、前後方向に延びる左右一対の縦部材３０と、左右方向に延びる前後一対の横部材３１と、を備えている。前後一対の横部材３１は、左右一対の縦部材３０を左右方向に連結している。横部材３１の左右方向の端部は、縦部材３０に連結されている。縦部材３０の前後方向の端部は、横部材３１よりも前後方向の外側に突出している。
脚部材２８は、複数備えられていて、本実施形態では、左右一対の脚部材２８が、前後方向に間隔をあけて一対配置されている。脚部材２８は、メインフレーム２７において縦部材３０と横部材３１とが連結された部分に配置されている。脚部材２８の下端部には、キャスター２９が設けられている。
【００２９】
第１回動機構２５は、背ボトム１８を第１回動軸２２回りに回動自在に保持する。第１回動機構２５は、背ボトム１８を第１回動軸２２回りに起伏回動することで、背ボトム１８の頭側Ｈを上昇させながら背ボトム１８を水平面に対して傾斜させる。第１回動機構２５は、第１被連結部材３２と、第１可動部材３３と、第１固定部材３４と、を備えている。
【００３０】
第１被連結部材３２には、背ボトム１８を形成するパネル部材１６が連結される。第１被連結部材３２は、背ボトム１８を形成する複数のパネル部材１６を一体に連結する。第１被連結部材３２は、各パネル部材１６の下面に連結されている。第１被連結部材３２は、前後方向に延びるとともに、左右方向に間隔をあけて一対配置されている。
【００３１】
第１可動部材３３は、背ボトム１８に連結されており、本実施形態では、第１被連結部材３２を介して背ボトム１８に連結されている。第１可動部材３３は、可動バー部３５と、可動プレート部３６と、を備えている。可動バー部３５は、背ボトム１８に対して脚側Ｆに位置していて、架台本体２４上に配置されている。可動バー部３５は、左右方向に直線状に延び、一対の縦部材３０上に架設されている。可動バー部３５には、第１被連結部材３２の脚側Ｆの端部が連結されている。
【００３２】
可動プレート部３６は、可動バー部３５を左右方向の両側から挟み込んで一対設けられている。各可動プレート部３６は、可動バー部３５の左右方向の端部に、左右方向の外側から連結されている。各可動プレート部３６は、第１可動部材３３の左右方向の端部を形成している。第１可動部材３３の左右方向の端部は、左右方向の外側に露出している。可動プレート部３６の上端部は、寝台面１５よりも上方に突出している。
【００３３】
第１固定部材３４は、架台本体２４に連結されている。第１固定部材３４は、固定バー部３７と、固定プレート部３８と、を備えている。固定バー部３７は、可動バー部３５に対して脚側Ｆに位置していて、架台本体２４上に配置されている。固定バー部３７は、左右方向に直線状に延び、一対の縦部材３０材上に架設されている。固定バー部３７は、各縦部材３０に連結されている。
【００３４】
固定プレート部３８は、固定バー部３７を左右方向の両側から挟み込んで一対設けられている。各固定プレート部３８は、固定バー部３７の左右方向の端部に、左右方向の外側から連結されている。各固定プレート部３８は、第１固定部材３４の左右方向の外側の端部を形成している。第１固定部材３４の左右方向の端部は、左右方向の外側に露出している。固定プレート部３８の上端部は、寝台面１５よりも上方に突出している。
【００３５】
第１固定部材３４は、左右一対の可動プレート部３６の内側に配置され、固定プレート部３８は、可動プレート部３６に左右方向の内側から隣接している。第１固定部材３４は、第１可動部材３３に第１回動軸２２を介して連結されている。第１回動軸２２は、寝台面１５の上方に位置して左右方向に延びている。第１回動軸２２は、左右一対、同軸に配置されていて、可動プレート部３６および固定プレート部３８の上端部同士を連結している。
なお、このように第１回動軸２２が寝台面１５の上方に位置することで、寝台面１５上の使用者の大転子に第１回動軸２２が接近する。これにより、背ボトム１８が第１回動軸２２回りに回転するときに、使用者の圧迫感が低減される。
【００３６】
第２回動機構２６は、脚ボトム１９を第２回動軸２３回りに回動自在に保持する。第２回動機構２６は、脚ボトム１９を第２回動軸２３回りに回動することで、脚ボトム１９において膝ボトム２０と足ボトム２１との間に位置する部分が上側に向けて突となるように、脚ボトム１９を屈曲させる。このとき、膝ボトム２０の頭側Ｈの端部が前後方向に固定された状態で、足ボトム２１の脚側Ｆの端部が架台本体２４上を頭側Ｈに移動する。
【００３７】
第２回動機構２６は、第２被連結部材３９と、第２可動部材４０と、第２固定部材４１と、を備えている。第２被連結部材３９には、脚ボトム１９を形成するパネル部材１６が連結される。第２被連結部材３９は、脚ボトム１９を形成する複数のパネル部材１６を一体に連結する。第２被連結部材３９は、各パネル部材１６の下面に連結されている。第２被連結部材３９は、前後方向に延びるとともに、左右方向に間隔をあけて一対配置されている。
【００３８】
各第２被連結部材３９は、前後方向に沿って頭側分割部４２と脚側分割部４３とに２分割されている。頭側分割部４２には、膝ボトム２０を形成するパネル部材１６が連結され、脚側分割部４３には、足ボトム２１を形成するパネル部材１６が連結される。頭側分割部４２と脚側分割部４３とは、左右方向に延びる第３回動軸４４を介して回動自在に連結されている。
【００３９】
第２可動部材４０は、脚ボトム１９に連結されており、本実施形態では、第２被連結部材３９を介して脚ボトム１９に連結されている。第２可動部材４０は、第２被連結部材３９に対して頭側Ｈに位置している。第２可動部材４０には、第２被連結部材３９の頭側Ｈの端部が連結されている。なお、第２被連結部材３９の脚側Ｆの端部は、自由端とされている。
【００４０】
第２固定部材４１は、架台本体２４に連結されており、本実施形態では、第１固定部材３４を介して架台本体２４に連結されている。第２固定部材４１は、第１固定部材３４から脚側Ｆに向けて突出している。第２固定部材４１は、左右方向に間隔をあけて一対配置されている。第２固定部材４１は、第２可動部材４０に第２回動軸２３を介して連結されている。第２回動軸２３は、寝台面１５の下方に位置して左右方向に延びている。第２回動軸２３は、左右一対、同軸に配置されている。
【００４１】
前記支持架台１２では、第１回動機構２５を介して背ボトム１８が架台本体２４に連結され、第２回動機構２６を介して脚ボトム１９が架台本体２４に連結されている。第１回動機構２５および第２回動機構２６が、前述の標準状態から背ボトム１８および脚ボトム１９を回動させることで、寝台１１は、図５に示すような、背上げおよび脚上げ（膝上げ）がされた典型的な使用状態となる。寝台１１を標準状態から使用状態にするときには、脚上げを背上げに先行して実施することで、使用者の寝台装置１０に対するずれを効果的に防止することができる。
【００４２】
図１から図５に示すように、ボード１３は、支持架台１２に固定され、寝台面１５よりも上方に立ち上がっている。ボード１３は、前後一対、備えられていて、架台本体２４の前後方向の両側の端部から立ち上がっている。
【００４３】
駆動機構１４は、背ボトム１８および脚ボトム１９（可動ボトム）を回動軸２２、２３回りに回動させる。駆動機構１４は、背ボトム１８を回動させる第１駆動機構１４ａと、脚ボトム１９を回動させる第２駆動機構１４ｂと、を備えている。
各駆動機構１４は、支持架台１２に取り付けられる。各駆動機構１４は、脚ボトム１９の下方に配置されている。各駆動機構１４は、寝台１１の下方に設けられた配置空間４５に配置される。配置空間４５は、架台本体２４におけるメインフレーム２７と脚部材２８との間に設けられている。各駆動機構１４は、当該寝台装置１０の左側または右側に向けて配置空間４５を通して露出している。
【００４４】
各駆動機構１４は、伸縮部４６と、駆動部４７と、を備えている。伸縮部４６は、前後方向に延び、前後方向に伸縮自在とされている。駆動部４７は、外部から供給される動力に基づいて伸縮部４６を伸縮させる。
各駆動機構１４は、可動ボトムである背ボトム１８または脚ボトム１９と、架台本体２４と、にそれぞれ連結されている。各駆動機構１４は、支持架台１２に設けられた前後一対のリンク機構４８、４９を介して、背ボトム１８または脚ボトム１９と、架台本体２４と、に連結されている。前後一対のリンク機構４８、４９は、各駆動機構１４の伸縮部４６の前後方向の伸縮を、背ボトム１８または脚ボトム１９の回動軸２２、２３回りの回動に変換する。
【００４５】
第１駆動機構１４ａの頭側Ｈに設けられたリンク機構４８ａは、第１駆動機構１４ａと第１可動部材３３とを連結し、第１駆動機構１４ａの脚側Ｆに設けられたリンク機構４９ａは、第１駆動機構１４ａと架台本体２４を連結している。これらの両リンク機構４８ａ、４９ａは、第１駆動機構１４ａの伸長を、背ボトム１８の第１回動軸２２回りの上側に向けた回動に変換する。
また、第２駆動機構１４ｂの頭側Ｈに設けられたリンク機構４８ｂは、第２駆動機構１４ｂと第２可動部材４０とを連結し、第２駆動機構１４ｂの脚側Ｆに設けられたリンク機構４９ｂは、第２駆動機構１４ｂと架台本体２４を連結している。これらの両リンク機構４８ｂ、４９ｂは、第２駆動機構１４ｂの収縮を、脚ボトム１９の第２回動軸２３回りの上側に向けた回動に変換する。
【００４６】
なお図示の例では、各駆動機構１４において、駆動部４７は、人の操作を動力源とする手動駆動部であり、各駆動機構１４は、手動式の駆動機構１４となっている。駆動部４７は、伸縮部４６の脚側Ｆの端部に配置され、架台本体２４から前後方向に沿う脚側Ｆに向けて突出している。これにより、駆動部４７によって背ボトム１８および脚ボトム１９を回動させるときに、操作性が確保されている。一方、駆動部４７を操作しない状態（寝台装置１０の通常の使用状態）では、例えば、駆動部４７が脚側Ｆから頭側Ｈに向けて屈曲されること等により、駆動部４７が、図１に二点鎖線で示す位置Ｐに配置されて配置空間４５内に格納され、医療従事者などの邪魔になることが抑えられる。
駆動部４７として、電力を動力源とする電動駆動部を採用することも可能である。
【００４７】
ここで本実施形態では、図６および図７に示すように、パネル部材１６を左右方向（パネル部材の長手方向、パネル部材が延びるパネル長手方向）に直交する断面で見た場合の寸法形状が、左右方向の全長にわたって同等である。パネル部材１６は、左右方向に直交する断面において、左右方向の全長にわたって同等の形状でかつ同等の大きさに形成されている。パネル部材１６は、例えば合成樹脂や軽金属などの成形材料を左右方向（パネル長手方向）に沿って押し出す押出成形によって形成される。
【００４８】
パネル部材１６は、パネル本体５０と、補強リブ５１と、を備えている。パネル本体５０は、パネル部材１６の外面を形成している。パネル本体５０は、左右方向から見た正面視において、倒立した等脚台形状に形成されている。パネル本体５０の下面は、パネル本体５０の上面よりも前後方向に小さい。この下面は、パネル部材１６において被連結部材３２、３９（第１被連結部材３２および第２被連結部材３９）に面する取付け面１６ａとなっている。パネル本体５０は、左右方向の両側に開口する中空に形成されている。
【００４９】
補強リブ５１は、パネル本体５０内に、パネル本体５０の左右方向に沿う全長にわたって設けられている。補強リブ５１は、パネル本体５０の上面と下面とを連結している。補強リブ５１は、左右方向から見た正面視において、上下方向に直線状に延びる板状に形成されている。
【００５０】
パネル部材１６および被連結部材３２、３９の間には、長さが異なる様々な形態のパネル部材１６を共通して被連結部材３２、３９に連結可能な連結手段５２が設けられている。連結手段５２は、パネル部材１６を、そのパネル部材１６の長さによらず、同等の形態の被連結部材３２、３９に連結させることができる。連結手段５２は、被連結部材３２、３９を、その被連結部材３２、３９の形態を変更することなく、長さが異なるパネル部材１６に連結させることができる。
【００５１】
なお図示の例では、連結手段５２として、ねじ部材５３が採用されている。ねじ部材５３は、被連結部材３２、３９の下方から、被連結部材３２、３９を通して上方に向けて差し込まれている。ねじ部材５３は、被連結部材３２、３９とパネル本体５０の下面（取付け面１６ａ）とを上下方向に一体に貫通している。ねじ部材５３は、取付け面１６ａに形成された貫通孔内に螺着されており、連結手段５２は、螺着によってパネル部材１６を被連結部材３２、３９に連結する。ねじ部材５３は、取付け面１６ａに差し込まれた状態で螺着されることで、パネル部材１６を被連結部材３２、３９に連結する螺着部材（ねじ）を形成している。なお連結手段５２として、ねじ部材５３に代えて、打込み鋲（図示せず）を採用することもできる。
【００５２】
次に、前記寝台装置１０の製造方法を説明する。
【００５３】
まず、寝台面１５の左右方向の大きさである幅を決定する。本実施形態の寝台装置１０では、図８（ａ）に示すような、寝台面１５の幅Ｗ１が狭い形態や、図８（ｂ）に示すような、寝台面１５の幅Ｗ２が広い形態のいずれの形態も形成することができる。
【００５４】
また、パネル部材１６となる長尺部材を押出成形する。その後、前記長尺部材をその長手方向に、寝台面１５（寝台１１）の幅寸法に応じて切断してパネル部材１６を形成する。１つの寝台装置１０には、互いに長さが同等とされた複数のパネル部材１６を採用することができる。
【００５５】
さらに、支持架台１２を形成する。このとき、支持架台１２のうち、可動バー部３５および固定バー部３７を除く構成には、寝台面１５の幅寸法によらず共通の形態を採用する。可動バー部３５および固定バー部３７には、寝台面１５の幅寸法に応じて左右方向の大きさを調整した形態を採用する。また、ボード１３および駆動機構１４を形成する。ボード１３および駆動機構１４には、寝台面１５の幅寸法によらず共通の形態を採用する。なお、ボード１３については、寝台面１５の幅寸法に応じて変更することが可能であり、例えば、寝台面１５の幅寸法に応じて幅広ボードを採用することもできる。
【００５６】
そして、パネル部材１６、ボード１３および駆動機構１４を支持架台１２に組み付ける。このとき、パネル部材１６を被連結部材３２、３９に、連結手段５２を介して連結する。
以上により、前記寝台装置１０が形成される。
【００５７】
以上説明したように、本実施形態に係る寝台装置１０によれば、パネル部材１６および被連結部材３２、３９の間に連結手段５２が設けられているので、左右方向に長さが異なるパネル部材１６であっても、共通の被連結部材３２、３９を有する支持架台１２に連結手段５２を介して取り付けることができる。したがって、支持架台１２の形態の変更を抑えつつ、多様な大きさの寝台１１を採用することができる。
また、連結手段５２が、螺着によってパネル部材１６を被連結部材３２、３９に連結するので、パネル部材１６を被連結部材３２、３９に容易に連結することができる。
【００５８】
また、左右方向に直交する断面で見たパネル部材１６の寸法形状が、左右方向の全長にわたって同等なので、長さが異なるいかなるパネル部材１６であっても、パネル部材１６のうち、被連結部材３２、３９に連結される部分の形態を同等にすることができる。したがって、長さが異なるパネル部材１６であっても、共通の被連結部材３２、３９を有する支持架台１２に取り付けることが可能になり、支持架台１２の形態の変更を抑えつつ、多様な大きさの寝台１１を採用することができる。
また、パネル部材１６の前述の寸法形状が、左右方向の全長にわたって同等なので、成形材料を左右方向に沿って押し出す押出成形によって、パネル部材１６を簡便に形成することができる。
【００５９】
また、パネル部材１６の左右方向の端部に、カバー部材１７が設けられているので、例えば本実施形態のように、パネル部材１６が左右方向の外側に開口している場合等であっても、パネル部材１６の端部をカバー部材１７により左右方向の外側から覆うことができる。
また、複数のパネル部材１６が、背ボトム１８および脚ボトム１９を形成しているので、本実施形態のように、背上げ機能や脚上げ機能を有するような寝台装置１０においても、支持架台１２の形態の変更を抑えつつ、多様な大きさの寝台１１を採用することができる。
【００６０】
なお、本発明の技術的範囲は前記実施形態に限定されるものではなく、本発明の趣旨を逸脱しない範囲において種々の変更を加えることが可能である。
【００６１】
例えば、パネル部材１６および連結手段５２として、図９に示すような構成を採用することも可能である。
図９に示すように、パネル部材１６には、左右方向（パネル長手方向）に沿って形成された凹溝部５４が設けられている。凹溝部５４は、取付け面１６ａを左右方向に横断している。凹溝部５４は、取付け面１６ａから上方に向けて窪んでいる。凹溝部５４における上下方向の中間部には、拡幅部５５が設けられている。拡幅部５５は、凹溝部５４における他の部分よりも前後方向に拡幅している。
そして、連結手段５２の少なくとも一部が、凹溝部５４に係止された状態で凹溝部５４内に配置されている。連結手段５２としては、互いに螺合し合うボルト５６（螺着部材）およびナット５７が採用されている。図示の例では、ナット５７が、拡幅部５５内に配置されている。ナット５７の前後方向の大きさは、凹溝部５４のうちの拡幅部５５を除く部分の前後方向の大きさよりも大きい。これにより、ナット５７は、拡幅部５５から下方に向けて離脱することを規制されている。ボルト５６は、被連結部材３２、３９の下方から被連結部材３２、３９を通して凹溝部５４に差し込まれ、ナット５７に螺合されている。  この場合、凹溝部５４が、取付け面１６ａを左右方向に横断しているので、パネル部材１６の長さによらず、パネル部材１６における左右方向に沿う所望の位置に、連結手段５２を配置することができる。
なお図示の例では、ナット５７が拡幅部５５内に配置されているが、これに代えてボルト５６の頭部を拡幅部５５内に配置すること等も可能である。
【００６２】
前記実施形態では、駆動機構１４が、脚ボトム１９の下方に配置されるが、本発明はこれに限られない。例えば、駆動機構１４が、背ボトム１８の下方に配置されてもよい。
背ボトム１８と脚ボトム１９との間に、腰ボトムが配置されていてもよい。前記腰ボトムとしては、支持架台１２に固定された構成を採用することが可能である。
【００６３】
前記実施形態では、背ボトム１８および脚ボトム１９の両方が、回動軸２２、２３回りに回動する可動ボトムとされたいわゆる２クランク（２ＡＣＴ）のギャッチベッドを採用したが、本発明はこれに限られない。例えば、背ボトム１８または脚ボトム１９が回動軸２２、２３回りに回動する１クランク（１ＡＣＴ）のギャッチベッドを採用することも可能である。この場合、寝台装置１０に、背ボトム１８を可動ボトムした背上げ機能を優先して搭載することができる。つまり、本発明は、背ボトム１８および脚ボトム１９のうちの少なくとも一方を可動ボトムとした構成を採用することが可能であり、背ボトム１８および脚ボトム１９のうちの少なくとも背ボトム１８を可動ボトムとした構成を採用することができる。
前記実施形態では、寝台装置１０として、背ボトム１８および脚ボトム１９が回動するいわゆるギャッチベットを採用したが、本発明はこれに限られない。例えば、本発明を、寝台１１が変形しない寝台装置に適用することも可能である。
【００６４】
前記実施形態では、パネル部材１６を左右方向に延びる長尺に形成し、前後方向に複数並設したが、本発明はこれに限られない。例えば、パネル部材１６を前後方向に延びる長尺に形成し、左右方向に複数並設することも可能である。
【００６５】
前記実施形態では、寝台装置１０を形成するに際し、支持架台１２を形成するときに、可動バー部３５および固定バー部３７に、寝台面１５の幅寸法に応じて左右方向の大きさ（幅）を調整した形態を採用するが、本発明はこれに限られない。例えば、可動バー部３５および固定バー部３７を、あらゆる幅の寝台１１に対応可能なように、幅を広めに形成しておいて、支持架台１２として、寝台１１の幅によらず完全に同一の形態を採用することも可能である。
【００６６】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００６７】
１０   寝台装置
１１   寝台
１２   支持架台
１６   パネル部材
１６ａ 取付け面
１８   背ボトム
１９   脚ボトム
３２   第１被連結部材（被連結部材）
３９   第２被連結部材（被連結部材）
５２   連結手段
５４   凹溝部
【図１】
2020114413.tif 000003
【図２】
2020114413.tif 000004
【図３】
2020114413.tif 000005
【図４】
2020114413.tif 000006
【図５】
2020114413.tif 000007
【図６】
2020114413.tif 000008
【図７】
2020114413.tif 000009
【図８】
2020114413.tif 000010
【図９】
2020114413.tif 000011